(57)【要約】      （修正有）【課題】発光モジュールの輝度を調整する街灯調光制御装置を提供する。【解決手段】街灯調光制御装置は、少なくとも信号プロセッサ、電源装置、アクチュエーター及び発光モジュールを含む。該信号プロセッサは、入力電力及び控制信号を受信するのに用い、該控制信号をデコードして調光控制信号に形成し、該電源装置へ伝送する。該電源装置は該調光控制信号に基づき、該入力電力を定電流に形成し、該アクチュエーターは該定電流を受け、発光モジュールを駆動し、発光モジュールを控制信号に基づき、異なる輝度を形成して多レベルの変化をさせる。【選択図】図２
0003162763.tif 000002
【実用新案登録請求の範囲】
【請求項１】
入力電力及び控制信号を受けて該控制信号をデコードして調光控制信号にする信号プロセッサと、
該信号プロセッサと連接し、該入力電力及び調光控制信号を受信し、該調光控制信号に基づき、該入力電力を定電流に形成する電源装置と、
該電源装置と連接し、該定電流を受け、発光モジュールを駆動するアクチュエーターと、
該アクチュエーターと連接する発光モジュールを含むことを特徴とする街灯調光制御装置。
【請求項２】
前記街灯調光制御装置は、更に制御ユニットを設置し、該制御ユニットは該信号プロセッサと連接し、控制信号を提供し、該制御ユニットは、少なくとも一センサー及び該センサーと連接する一コントローラーを設置し、該センサーは感知結果を該コントローラーで伝送し、該コントローラーによって控制信号を発信し、該感知結果に基づいて発光モジュールの輝度を調整することを特徴とする請求項１記載の街灯調光制御装置。
【請求項３】
前記制御ユニットは、電力線に依る情報伝送の電力線ネットワークモジュールであり、該電力線ネットワークモジュールは、LonWorksモジュール(制御ネットワークシステム電力線データ伝送プロトコル)もしくはSCPモジュール(シンプル制御プロトコル)でもよいことを特徴とする請求項２記載の街灯調光制御装置。
【考案の詳細な説明】
【技術分野】
【０００１】
本考案は、街灯調光制御装置に関するもので、特に信号の制御に基づいて発光モジュールの輝度を調整する街灯調光制御装置に係わる。
【背景技術】
【０００２】
図１に示すのは、一般的なLED街灯の制御スイッチモジュール１０であり、それは少なくとも商用電源１１、定電流変圧器１２、輝度切替装置１３、LED光源１４を含み、商用電源１１の交流電源を定電流変圧器１２によって直流定電流電源に転換し、次に輝度切替装置１３で定電流変圧器に基づく信号後LED街灯の光源を制御する。
【０００３】
しかしながら、該制御スイッチモジュール１０は、LED街灯の光源裝置に係わるが、該制御スイッチモジュールは単純にLED街灯の光源を作動させ、その電源を安定させるだけである。現行のLED街灯の照明スイッチは、時間設定によって始動の信号を送る。しかし、一旦点灯すると、所定の時間で制御されているため、その他LED街灯光源の調整はできず、環境保護省エネの時代でありながら、エネルギーを節約できずにいる。
【考案の概要】
【考案が解決しようとする課題】
【０００４】
解決しようとする問題点は、照明を始動する時間をコントロールできるだけで光源の調整はできない点である。
【課題を解決するための手段】
【０００５】
本考案は、少なくとも信号プロセッサ、電源装置、アクチュエーター及び発光モジュールを含む。該信号プロセッサは、入力電力及び控制信号を受けるのに用い、該控制信号をデコードして調光控制信号に形成し、該電源装置へ伝送する。該電源装置は該調光控制信号に基づき、該入力電力を定電流に形成し、該アクチュエーターは該定電流を受け、発光モジュールを駆動し、発光モジュールを控制信号に基づき、異なる輝度を形成して多レベルの変化をさせることを最も主要な特徴とする。
【考案の効果】
【０００６】
本考案の街灯調光制御装置は、発光モジュールの輝度を調整するという利点がある。
【図面の簡単な説明】
【０００７】
【図１】公知の照明器具輝度調整裝置の構造指示図である。
【図２】本考案の調光制御装置の構造指示図である。
【図３】本考案の調光制御装置と街灯の構造指示図である。
【図４】本考案の調光制御装置と街灯の別の構造指示図である。
【考案を実施するための形態】
【０００８】
本考案の街灯調光制御装置は、少なくとも信号プロセッサ、電源装置、アクチュエーター及び発光モジュールを含む。該信号プロセッサは、入力電力及び控制信号を受けるのに用い、該控制信号をデコードして調光控制信号に形成し、該電源装置へ伝送する。該電源装置は該調光控制信号に基づき、該入力電力を定電流に形成し、該アクチュエーターは該定電流を受け、発光モジュールを駆動し、発光モジュールを控制信号に基づき、異なる輝度を形成して多レベルの変化をさせる。
【実施例】
【０００９】
本考案「街灯調光制御装置」は、図２及び図３に示すとおり、該調光制御装置２は少なくとも以下を含む。
【００１０】
信号プロセッサ２１は、入力電力、制御信号を受信するのに用いる。
【００１１】
電源装置２２は、該信号プロセッサ２１と連接し、該入力電力、調光控制信号を受ける。
【００１２】
アクチュエーター２３は、該電源装置２２と連接し、発光モジュール２４を駆動する。
【００１３】
発光モジュール２５は、該アクチュエーター２３と連接し、該発光モジュールには複数の発光ダイオードを設置する。
【００１４】
使用時、該街灯調光制御装置は更に制御ユニット３を設置し、該制御ユニット３は該信号プロセッサ２１と連接して控制信号を提供し、該制御ユニット３は、少なくとも一センサー３１(光線センサーでもよい)及び一と該センサー３１連接のコントローラー３２を設置する。該制御ユニット３は、電力線で情報伝達を行う電力線ネットワークモジュール，例としてLonWorksモジュール(制御ネットワークシステム電力線データ伝送プロトコル)もしくはSCPモジュール(シンプル制御プロトコル)でもよい。
【００１５】
該センサー３１で環境変化、例として光線の変化をセンサーし、該センサー３１が感知結果を該コントローラー３２へ伝送し、該コントローラー３１が制御信号を発信する。該信号プロセッサ２１は、入力電力及び控制信号を受信し、該控制信号をデコードして調光控制信号（パルス幅変調信号(PWM)でもよい）とする。また該電源装置２２は該信号プロセッサ２１と連接し、該入力電力及び調光控制信号を受信し、該調光控制信号に基づき、該入力電力を定電流に形成し、最後に該アクチュエーターで該定電流を受信し、該定電流で発光モジュールを動かして発光する。感知した結果に基づき発光モジュールの輝度を調整する。
【００１６】
更に該発光モジュールは、発光ダイオードチェーンライトを複数連接して設置し、該電源装置は定電流を供給すると同時に各発光ダイオードチェーンライトの発光状態を知ることができる。該電源装置は更にモニター装置を連接し、発光モジュールの発光状態をモニタリングすることによって、故障があるか否かもモニタリングする。
【００１７】
この他、該調光制御装置は、街灯内に設置し、一制御ユニットで一街灯を制御する。当然一制御ユニットで複数の街灯を制御することもでき、図４に示すとおり、該制御ユニット３は、同一道路の複数の街灯４を制御し、各街灯４を異なる控制信号によって輝度を調整する。例として天気もしくは環境変化で暗くなった時、各街灯４を高輝度に制御して道路に良好な照明光線を提供する。
【００１８】
更に本考案は、スマート型調光システムであり、道路環境の変化に基づいて街灯の輝度を調整し、最も良い照明効果を提供し、電力の無駄を節約する。
【００１９】
上述のとおり、本考案は実行可能な街灯調光制御装置を提供して実用新案登録を請求する。本考案の技術内容及び技術特徴は既に上述のとおりであるが、本領域に習熟した者が本考案の提示に基づき、本考案の精神から乖離しない入替及び修飾を行うかもしれない。拠って本考案の保護範囲は、実施例に制限されず、各種の本考案から乖離しない入替及び修飾を以下の請求項に含むこととする。
【符号の説明】
【００２０】
１０        制御スイッチモジュール
１１        商用電源
１２        定電流変圧器
１３        輝度切替装置
１４        LED光源
２          調光制御装置
２１        信号プロセッサ
２２        電源装置
２３        アクチュエーター
２４        発光モジュール
３          制御ユニット
３１        センサー
３２        コントローラー
４          街灯
【図１】
0003162763.tif 000003
【図２】
0003162763.tif 000004
【図３】
0003162763.tif 000005
【図４】
0003162763.tif 000006